(57)【特許請求の範囲】
【請求項１】
車両フロアに固定され車両前後方向に延在するロアレールと、シートに固定されロアレールに対し車両前後方向に移動可能に支持されるアッパレールと、前記ロアレールに対する前記アッパレールの移動可能な車両前後方向の所定範囲内で前記ロアレールに対する前記アッパレールの移動を選択的に規制するロック手段とを備えた車両用シートスライド装置において、
前記ロアレールは、
車両前後方向に延在する底壁部と、該底壁部の車両幅方向両端からそれぞれ立設された側壁部と、該両側壁部の上端から幅方向にそれぞれ張り出すロアレール張出壁部と、該ロアレール張出壁部の先端から下側に折り返されたロアレール折返し壁部とを有し、
前記アッパレールは、
車両前後方向に延在する本体壁部と、該本体壁部の下端から幅方向両側にそれぞれ張り出すアッパレール張出壁部と、該アッパレール張出壁部の先端から上側に折り返されて前記側壁部、前記ロアレール張出壁部及び前記ロアレール折返し壁部に包囲されるアッパレール折返し壁部とを有し、
前記ロアレールの車両後方側の端部において、少なくとも前記両ロアレール張出壁部に接触した状態で取着され前記ロアレールの上向きの開口部を閉塞する覆設部材と、
前記本体壁部に設けられ、前記アッパレールが前記所定範囲内の車両後方側で前記ロック手段により前記ロアレールに対する移動が規制されているとき、前記覆設部材の下側に配置される係止部とを備え、
前記覆設部材は、前記両ロアレール張出壁部の上面に接触するとともに前記ロアレールの上向きの開口部を閉塞する蓋壁部と、該蓋壁部の車両幅方向両側からそれぞれ下向きに屈曲されて前記ロアレールの前記両側壁部を挟み込む側壁部とを有し、
前記覆設部材は、前記ロアレールに対して、該ロアレールの前記両側壁部及び該覆設部材の両側壁部を車両幅方向に貫通する締結部材のみで固定されていることを特徴とする車両用シートスライド装置。
【請求項２】
請求項１に記載の車両用シートスライド装置において、
前記覆設部材は、前記ロアレールに対する前記アッパレールの車両前後方向の移動を許容しつつ前記ロアレールの上向きの開口部を覆う一対のカバー部材の車両後方側の端末が突き当てられて前記両ロアレール張出壁部に接触した状態で取着される端末処理ブラケットであって、前記端末を被覆する装飾部材が取着される端末処理ブラケットとして兼用されてなることを特徴とする車両用シートスライド装置。
【請求項３】
請求項２に記載の車両用シートスライド装置において、
前記覆設部材は、前記一対のカバー部材の前記ロアレールへの取着状態を保持するための保持部を一体的に有することを特徴とする車両用シートスライド装置。
【請求項４】
請求項１〜３のいずれか一項に記載の車両用シートスライド装置において、
前記覆設部材の前記蓋壁部には、前記ロアレールの上向きの開口部に対向して上向きに凹設される凹設部が形成され、該凹設部は、前記係止部が前記覆設部材の下側に配置されているときに該係止部と対向することを特徴とする車両用シートスライド装置。
【発明の詳細な説明】
【技術分野】
【０００１】
本発明は、車両用シートスライド装置に関するものである。
【背景技術】
【０００２】
従来、車両用シートスライド装置としては、例えば特許文献１に記載されたものが知られている。この車両用シートスライド装置は、車両前後方向に延在して車両フロアに固定されるロアレール（１）と、シートに固定されロアレールに相対移動可能に支持されるアッパレール（２）とを備えている。ロアレールは、車両前後方向に延在する底壁部及び該底壁部の車両幅方向両端からそれぞれ立設された側壁部を有する断面Ｕ字状のロアレール本体（１０）と、両側壁部の上端から幅方向にそれぞれ張り出すロアレール張出壁部（１０ａ）と、該ロアレール張出壁部の先端から下側に折り返されたロアレール折返し壁部（１０ｂ）とを一体的に有する。一方、アッパレールは、シートに固定されるアッパレール本体（２０）と、該アッパレール本体の下端から幅方向両側にそれぞれ張り出すアッパレール張出壁部（２０ａ）と、該アッパレール張出壁部の先端から上側に折り返されてロアレールの側壁部、ロアレール張出壁部及びロアレール折返し壁部に包囲されるアッパレール折返し壁部（２０ｂ）とを一体的に有する。そして、ロアレール及びアッパレールは、ロアレール張出壁部及びアッパレール折返し壁部の係合並びにロアレール折返し壁部及びアッパレール張出壁部の係合によって上下方向に抜け止めされている。特に、この車両用シートスライド装置では、アッパレール張出壁部の下面に補強板（３０）を一体に取り付けてアッパレールを補強することで、該アッパレールの変形を軽減しロアレールからの剥離の抑制が図られている。
【０００３】
また、特許文献２に記載された車両用シートスライド装置では、ロアレール（フロア）側で該ロアレールの断面の外側に設けたフック形状（１３ｂ）と、アッパレール（シート）側で該アッパレールの外側に設けたフック形状（９ａ）との係止（噛み合い）により、アッパレールのロアレールからの剥離の抑制が図られている。
【０００４】
さらに、特許文献３に記載された車両用シートスライド装置では、ロアレールの端部に、該ロアレールの断面外側を覆う補強部材を取り付けてロアレールを補強することで、該ロアレールの変形を軽減しアッパレールの剥離の抑制が図られている。
【特許文献１】実開平７−４１４８号公報（第１−２図）
【特許文献２】実公平８−１００４１号公報（第２図）
【特許文献３】特許第３６０６８２４号公報
【発明の開示】
【発明が解決しようとする課題】
【０００５】
ところで、特許文献１では、ロアレールがその長手方向全長に亘って十分な強度を有することを前提にアッパレールのみを補強しており、例えば車両前突時にシートベルトアンカ負荷に起因する剥離荷重が厳しくなる車両後方側の端部を基準にロアレールの強度が設定されている。従って、ロアレールは、車両前方側の端部の強度がオーバースペックになってしまう。一方、特許文献３では、アッパレールがその長手方向全長に亘って十分な強度を有することを前提にロアレールのみを補強しており、例えば車両前突時に前述の剥離荷重が厳しくなる車両後方側の端部を基準にアッパレールの強度が設定されている。従って、アッパレールは、特に車両前方側の端部の強度がオーバースペックになってしまう。
【０００６】
また、特許文献２では、ロアレール及びアッパレールの係合する断面から離隔配置された両フック形状を採用することから、その搭載スペースに制約を受けることになる。
本発明の目的は、搭載スペースに制約を緩和し、且つ、ロアレール及びアッパレールの強度をオーバースペックにすることなく好適に確保することができる車両用シートスライド装置を提供することにある。
【課題を解決するための手段】
【０００７】
上記問題点を解決するために、請求項１に記載の発明は、車両フロアに固定され車両前後方向に延在するロアレールと、シートに固定されロアレールに対し車両前後方向に移動可能に支持されるアッパレールと、前記ロアレールに対する前記アッパレールの移動可能な車両前後方向の所定範囲内で前記ロアレールに対する前記アッパレールの移動を選択的に規制するロック手段とを備えた車両用シートスライド装置において、前記ロアレールは、車両前後方向に延在する底壁部と、該底壁部の車両幅方向両端からそれぞれ立設された側壁部と、該両側壁部の上端から幅方向にそれぞれ張り出すロアレール張出壁部と、該ロアレール張出壁部の先端から下側に折り返されたロアレール折返し壁部とを有し、前記アッパレールは、車両前後方向に延在する本体壁部と、該本体壁部の下端から幅方向両側にそれぞれ張り出すアッパレール張出壁部と、該アッパレール張出壁部の先端から上側に折り返されて前記側壁部、前記ロアレール張出壁部及び前記ロアレール折返し壁部に包囲されるアッパレール折返し壁部とを有し、前記ロアレールの車両後方側の端部において、少なくとも前記両ロアレール張出壁部に接触した状態で取着され前記ロアレールの上向きの開口部を閉塞する覆設部材と、前記本体壁部に設けられ、前記アッパレールが前記所定範囲内の車両後方側で前記ロック手段により前記ロアレールに対する移動が規制されているとき、前記覆設部材の下側に配置される係止部とを備え、前記覆設部材は、前記両ロアレール張出壁部の上面に接触するとともに前記ロアレールの上向きの開口部を閉塞する蓋壁部と、該蓋壁部の車両幅方向両側からそれぞれ下向きに屈曲されて前記ロアレールの前記両側壁部を挟み込む側壁部とを有し、前記覆設部材は、前記ロアレールに対して、該ロアレールの前記両側壁部及び該覆設部材の両側壁部を車両幅方向に貫通する締結部材のみで固定されていることを要旨とする。
【０００８】
同構成によれば、前記アッパレールが前記所定範囲内の車両後方側、即ち車両前突時に剥離荷重の厳しい側で前記ロック手段により前記ロアレールに対する移動が規制されているとき、前記ロアレール及び前記アッパレールは、前記ロアレール張出壁部及び前記アッパレール折返し壁部の係合並びに前記ロアレール折返し壁部及び前記アッパレール張出壁部の係合に加えて、前記覆設部材及び前記係止部でも係合することで、前記ロアレール及び前記アッパレール全体として剥離強度を向上することができる。この剥離強度を向上は、前記アッパレールが前記所定範囲内の車両後方側にあるときに限定されるため、該アッパレールが車両前方側にあるときに徒にロアレール又はアッパレールが補強されて剥離強度がオーバースペックになることはない。また、前記ロアレールは、車両後方側の端部において、前記覆設部材により上向きの開口部が閉塞されて閉断面形状を呈することで、前記ロアレールの強度を向上することができる。さらに、前記覆設部材は、前記両ロアレール張出壁部に接触した状態で取着され、より緊密に前記ロアレールに一体化されることで、前記覆設部材の搭載スペースの制約をより軽減することができる。
【０００９】
請求項２に記載の発明は、請求項１に記載の車両用シートスライド装置において、前記覆設部材は、前記ロアレールに対する前記アッパレールの車両前後方向の移動を許容しつつ前記ロアレールの上向きの開口部を覆う一対のカバー部材の車両後方側の端末が突き当てられて前記両ロアレール張出壁部に接触した状態で取着される端末処理ブラケットであって、前記端末を被覆する装飾部材が取着される端末処理ブラケットとして兼用されてなることを要旨とする。
【００１０】
同構成によれば、前記覆設部材は、前記端末処理ブラケットとして兼用されることで、基本的に既存部品である該端末処理ブラケットに若干変更を加えるのみで設けることができ、部品点数を削減することができる。
【００１１】
請求項３に記載の発明は、請求項２に記載の車両用シートスライド装置において、前記覆設部材は、前記一対のカバー部材の前記ロアレールへの取着状態を保持するための保持部を一体的に有することを要旨とする。
【００１２】
同構成によれば、前記覆設部材は、前記一対のカバー部材の前記ロアレールへの取着状態を保持するための保持部を一体的に有することで、例えば該取着状態を保持するための専用部材を別途設ける場合に比べて部品点数を削減することができる。
請求項４に記載の発明は、請求項１〜３のいずれか一項に記載の車両用シートスライド装置において、前記覆設部材の前記蓋壁部には、前記ロアレールの上向きの開口部に対向して上向きに凹設される凹設部が形成され、該凹設部は、前記係止部が前記覆設部材の下側に配置されているときに該係止部と対向することを要旨とする。
【発明の効果】
【００１３】
本発明では、搭載スペースに制約を緩和し、且つ、ロアレール及びアッパレールの剥離強度をオーバースペックにすることなく好適に確保することができる車両用シートスライド装置を提供することができる。
【発明を実施するための最良の形態】
【００１４】
以下、本発明を具体化した一実施形態について図面に従って説明する。
図４は、例えば自動車などの車両に搭載される車両用シート１を模式的に示す側面図である。同図に示すように、車両フロア２には、車両前後方向に延在するレール溝２ａが形成されるとともに、該レール溝２ａに埋設される金属製のロアレール３が車両前後方向に延在する態様で固定され、更に該ロアレール３には、金属製のアッパレール４がロアレール３に対し車両前後方向に移動可能に支持されている。
【００１５】
なお、ロアレール３及びアッパレール４は、車両用シート１の幅方向（図４において紙面に直交する方向）でそれぞれ対をなして配設されており、ここでは車両の前方に向かって左側に配置されたものを示している。そして、両アッパレール４には、乗員の着座部を形成するシート５が固定・支持されている。
【００１６】
次に、本実施形態に係る車両用シートスライド装置について、図１〜図３に従って説明する。なお、図１は、この車両用シートスライド装置の分解斜視図であり、図２（ａ）（ｂ）は、その車両後方側の端部の平面図及び側面図である。また、図３（ａ）（ｂ）（ｃ）は、図２（ｂ）のＡ−Ａ線、Ｂ−Ｂ線及びＣ−Ｃ線にそれぞれ沿った断面図である。
【００１７】
同図に示すように、前記ロアレール３は、車両前後方向に延在する底壁部１１と、該底壁部１１の車両幅方向両端からそれぞれ立設された側壁部１２と、該両側壁部１２の上端から幅方向内側にそれぞれ張り出すロアレール張出壁部１３と、該ロアレール張出壁部１３の先端から下側に折り返されたロアレール折返し壁部１４とを一体的に有する。なお、前記ロアレール３は、前記両ロアレール折返し壁部１４間で、上方に開口する開口部３ａを有している。また、前記ロアレール折返し壁部１４には、長手方向（車両前後方向）に並設された複数の四角形のロック孔１４ａが所定の間隔をもって形成されている。
【００１８】
図３（ａ）に示すように、前記アッパレール４は、断面略四角形の中空壁部２１ａ及び該中空壁部２１ａを閉じる両先端から幅方向外側に広げられて下向きに延びる延出壁部２１ｂを有して前記開口部３ａに沿って車両前後方向に延在する本体壁部２１と、該本体壁部２１（延出壁部２１ｂ）の下端から幅方向両外側にそれぞれ張り出すアッパレール張出壁部２２と、該アッパレール張出壁部２２の先端から上側に折り返されて前記側壁部１２、前記ロアレール張出壁部１３及び前記ロアレール折返し壁部１４に包囲されるアッパレール折返し壁部２３とを一体的に有する。
【００１９】
図２に示すように、前記アッパレール４は、前記アッパレール折返し壁部２３の外側面に固着されて前記底壁部１１を転動するベアリング３１にて前記ロアレール３に支持されている。アッパレール４は、前記ベアリング３１が前記底壁部１１上を転動することで、ロアレール３に対し長手方向（車両前後方向）に摺動自在に支持される。
【００２０】
なお、前記延出壁部２１ｂには、長手方向（車両前後方向）に並設された複数の挿通孔２１ｃ（図３（ａ）参照）が前記所定の間隔をもって形成されている。そして、これら複数の挿通孔２１ｃは、前記ロアレール３の長手方向で隣り合う複数のロック孔１４ａと合致可能な位置に配置されている。また、前記アッパレール折返し壁部２３にも、同様の複数の挿通孔２３ａが前記所定の間隔をもって形成されている。これら挿通孔２３ａは、幅方向で前記挿通孔２１ｃに対向するように配置されている。
【００２１】
アッパレール４には、長手方向に並設されたロック手段としての一対のロックレバー２６が前記アッパレール４の長手方向に沿う回転軸周りに回動可能に連結されている。図３（ａ）に示すように、各ロックレバー２６には、下方に延出して車両幅方向外側に折り返された複数のロック爪２６ａが前記所定の間隔をもって形成されている。これらロック爪２６ａは、前記本体壁部２１を貫通して前記開口部３ａに導入されており、ロックレバー２６の回動に伴い、挿通孔２１ｃ，２３ａに対して挿脱可能に配置されている。そして、ロックレバー２６の各ロック爪２６ａが前記挿通孔２１ｃ，２３ａとともに前記ロック孔１４ａへと挿入されると、前記ロアレール３及びアッパレール４の相対移動が規制され、これに支持されるシート５も位置決めされる。あるいは、ロックレバー２６の各ロック爪２６ａが挿通孔２３ａ、ロック孔１４ａ及び挿通孔２１ｃから順次、外されることで、ロアレール３及びアッパレール４の相対移動が許容される。従って、前記ロアレール３に対する前記アッパレール４の移動規制は、前記ロック爪２６ａが挿入されるロック孔１４ａの存在する車両前後方向の所定範囲内に限定される。
【００２２】
なお、前記ロックレバー２６は、図示しない付勢手段（例えばトーションスプリング）にてロック爪２６ａが挿通孔２１ｃ，２３ａに挿入される側、即ち前記ロアレール３及びアッパレール４の相対移動を規制する側に常時回動付勢されている。そして、前記ロックレバー２６は、外部からの操作力が入力されると、付勢手段の付勢力に抗してロック爪２６ａが挿通孔２１ｃ，２３ａ等から外れる側、即ち前記ロアレール３及びアッパレール４の相対移動を許容する側に回動する。
【００２３】
ロアレール３には、車両前後方向に間隔をおいて底壁部１１の下面に接合された金属板からなるＵ字形状の複数（３つ）の保持ブラケット１５が配設されている。また、ロアレール３の前端（車両前方側の先端）には、前記両ロアレール張出壁部１３に接触した状態で両側壁部１２を挟み込む金属板からなるＵ字形状の端末処理ブラケット１６が装着されている。なお、端末処理ブラケット１６は、前記両側壁部１２ともども車両幅方向に貫通するストッパボルト６にてロアレール３に締結されている。前記両側壁部１２間に橋渡しされるストッパボルト６は、ロアレール３に支持されたアッパレール４の移動を係止して該ロアレール３の前方への脱落を防止する。
【００２４】
ロアレール３の後端（車両後方側の先端）には、金属板からなる覆設部材１７が装着されている。この覆設部材１７は、前記両ロアレール張出壁部１３に接触する蓋壁部１８と、該蓋壁部１８の車両幅方向両端からそれぞれ下向きに屈曲されて前記両側壁部１２を挟み込む側壁部１９とを有してＵ字形状を呈している。前記覆設部材１７は、前記両側壁部１２ともども両側壁部１９を車両幅方向に貫通するストッパボルト７にてロアレール３に締結されている。前記両側壁部１２間に橋渡しされるストッパボルト７は、ロアレール３に支持されたアッパレール４の移動を係止して該ロアレール３の後方への脱落を防止する。
【００２５】
なお、覆設部材１７の蓋壁部１８は、ロアレール３の開口部３ａに対向して上向きにトレー状に凹設されてアッパレール４からの荷重を受ける座面１８ａを形成する。また、各側壁部１９は、その下部から車両前方側に延出してひれ状の保持部１９ａを形成する。この保持部１９ａは、各対向する側壁部１２との間に間隙が設定されている（図３（ｃ）参照）。
【００２６】
一方、アッパレール４の後端（車両後方側の先端）には、両延出壁部２１ｂが接合される前記本体壁部２１の絞り部でその上側が切除されてなる引っ掛け形状４ａが設けられている。この引っ掛け形状４ａは、ロックレバー２６がロアレール３及びアッパレール４の相対移動を規制可能な車両前後方向の所定範囲内において、アッパレール４がロアレール３に対して最後端（リヤモースト位置）を含む車両後方側に配置されるときに、図３（ｂ）に示すように、前記蓋壁部１８（座面１８ａ）の下側に配置されるように設定されている。従って、アッパレール４がロアレール３に対して前述の車両後方側に配置されているとき、図３に２点鎖線の領域で示したように、ロアレール３及びアッパレール４は、ロアレール張出壁部１３及びアッパレール折返し壁部２３の係合（噛み合い）並びにロアレール折返し壁部１４及びアッパレール張出壁部２２の係合に加えて、覆設部材１７及び引っ掛け形状４ａでも係合して、ロアレール３及びアッパレール４全体として剥離強度の局所的な向上が図られている。
【００２７】
前記各ロアレール張出壁部１３には、前記端末処理ブラケット１６及び覆設部材１７間で車両前後方向に延在する樹脂材からなるカバー部材３６が載置されている。このカバー部材３６は、ロアレール張出壁部１３に沿って延びる装飾壁部３６ａと、前記側壁部１２の外側面に沿って前記装飾壁部３６ａから下向きに延びる係止壁部３６ｂとを有して断面略Ｔ字状に成形されており、該係止壁部３６ｂが前記側壁部１２との間で前記各保持ブラケット１５に係止されることでロアレール３に固定されている。また、図３（ｃ）に示すように、カバー部材３６の端末は、前記係止壁部３６ｂが前記側壁部１２との間で前記覆設部材１７（側壁部１９）の保持部１９ａに係止されることでロアレール３に固定されている。
【００２８】
各カバー部材３６は、ロアレール３に対するアッパレール４の車両前後方向の移動を許容すべく、装飾壁部３６ａの車両幅方向内側の先端がアッパレール４（延出壁部２１ｂ）に摺接する態様で前記開口部３ａを覆う。これにより、開口部３ａからロアレール３内への異物の侵入が抑制されるとともに、該ロアレール３（車両フロア２）の意匠性が高められている。なお、カバー部材３６の端末処理ブラケット１６及び覆設部材１７（蓋壁部１８）に突き当てられる両端末（見切り部）は、これら端末処理ブラケット１６及び覆設部材１７に取着される装飾部材（図示略）で被覆されてその意匠性の向上が図られている。換言すれば、覆設部材１７は、基本的に端末処理ブラケット１６と同様の既存の端末処理ブラケットが兼用されており、当該端末処理ブラケットに若干の変更を加えて前述の機能を付加した構造となっている。
【００２９】
以上詳述したように、本実施形態によれば、以下に示す効果が得られるようになる。
（１）本実施形態では、アッパレール４が前記所定範囲内の車両後方側、即ち車両前突時にシートベルトアンカ負荷に起因する剥離荷重の厳しい側で前記ロックレバー２６によりロアレール３に対する移動が規制されているとき、ロアレール３及びアッパレール４は、ロアレール張出壁部１３及びアッパレール折返し壁部２３の係合並びにロアレール折返し壁部１４及びアッパレール張出壁部２２の係合に加えて、覆設部材１７及び引っ掛け形状４ａでも係合することで、ロアレール３及びアッパレール全体として剥離強度を向上することができる。この剥離強度を向上は、アッパレール４が前記所定範囲内の車両後方側にあるときに限定されるため、該アッパレール４が車両前方側にあるときに徒にロアレール３又はアッパレール４が補強されて剥離強度がオーバースペックになることはない。また、ロアレール３は、車両後方側の端部において、覆設部材１７により上向きの開口部３ａが閉塞されて閉断面形状を呈することで、ロアレール３の強度を向上することができる。さらに、覆設部材１７は、前記両ロアレール張出壁部１３に接触した状態で取着され、より緊密にロアレール３に一体化されることで、覆設部材１７の搭載スペースの制約をより軽減することができる。
【００３０】
（２）本実施形態では、覆設部材１７は、端末処理ブラケットとして兼用されることで、基本的に既存部品である該端末処理ブラケットに若干変更を加えるのみで設けることができ、部品点数を削減してコストを削減することができる。
【００３１】
（３）本実施形態では、覆設部材１７は、一対のカバー部材３６の前記ロアレール３への取着状態を保持するための保持部１９ａを一体的に有することで、例えば該取着状態を保持するための専用部材を別途設ける場合に比べて部品点数を削減してコストを削減することができる。
【００３２】
（４）本実施形態では、アッパレール４の本体壁部２１は、車両前後方向で一定断面を有して極めて簡易な形状を呈しており、引っ掛け形状４ａは、本体壁部２１の一定断面を切り欠いてなることで、引っ掛け形状４ａを極めて簡易に設けることができる。
【００３３】
（５）本実施形態では、覆設部材１７は、座面１８ａにおいて引っ掛け形状４ａからの荷重を分散する態様で、該引っ掛け形状４ａからの荷重をより確実に受けることができる。
【００３４】
（６）本実施形態では、覆設部材１７は、ストッパボルト７により一箇所のみで固定されるものの、蓋壁部１８をロアレール張出壁部１３に接触させたことで回り止めすることができる。
【００３５】
なお、上記実施形態は以下のように変更してもよい。
・前記実施形態において、ロアレール３の断面形状は一例である。例えば、ロアレール張出壁部は、車両幅方向外側に張り出していてもよい。また、ロアレール張出壁部は、車両幅方向に必ずしも水平に張り出す必要はなく、例えば上下方向に一部が傾斜しながら車両幅方向に張り出していてもよい。
【００３６】
・前記実施形態において、アッパレール４の断面形状は一例である。例えば、アッパレール張出壁部は、車両幅方向内側に張り出していてもよい。また、アッパレール張出壁部は、車両幅方向に必ずしも水平に張り出す必要はなく、例えば上下方向に一部が傾斜しながら車両幅方向に張り出していてもよい。
【００３７】
・前記実施形態において、覆設部材１７の蓋壁部１８に、引っ掛け形状４ａの係合を一箇所に案内するガイド壁を設けてもよい。
・前記実施形態において、ロアレール３は、適宜のブラケットを介して車両フロア２上に設置されていてもよい。
【００３８】
・前記実施形態においては、車両の前方とシート前方とが一致することを前提に、ロアレール３の後端部に覆設部材１７を設けて剥離対策とした。車両の前方とシート前方とが相反するシート（対面シートなど）の場合には、ロアレール３の車両後方側の端部である前端部に覆設部材を設けて剥離対策としてもよい。
【００３９】
・前記実施形態において、ロアレール３及びアッパレール４（車両用シートスライド装置）は、シート５に対し各１本ずつ配設される構成であってもよいし、各３本以上ずつ配設される構成であってもよい。
【００４０】
次に、上記実施形態及び別例から把握できる技術的思想について以下に追記する。
（イ）請求項１〜３のいずれか一項に記載の車両用シートスライド装置において、
前記本体壁部は、車両前後方向で一定断面を有しており、
前記係止部は、前記本体壁部の前記一定断面を切り欠いてなることを特徴とする車両用シートスライド装置。同構成によれば、前記本体壁部は、車両前後方向で一定断面を有して極めて簡易な形状を呈しており、前記係止部は、前記本体壁部の前記一定断面を切り欠いてなることで、前記係止部を極めて簡易に設けることができる。
【００４１】
（ロ）請求項１〜３及び上記（イ）のいずれか一項に記載の車両用シートスライド装置において、
前記覆設部材は、前記係止部に対向して該係止部からの荷重を受ける座面を有することを特徴とする車両用シートスライド装置。同構成によれば、前記覆設部材は、前記座面において前記係止部からの荷重を分散する態様で、該荷重をより確実に受けることができる。
【図面の簡単な説明】
【００４２】
【図１】本発明の一実施形態を示す分解斜視図。
【図２】（ａ）（ｂ）は、同実施形態を示す平面図及び側面図。
【図３】（ａ）（ｂ）（ｃ）は、図２（ｂ）のＡ−Ａ線、Ｂ−Ｂ線及びＣ−Ｃ線に沿った断面図。
【図４】車両用シートを示す側面図。
【符号の説明】
【００４３】
２…車両フロア、３…ロアレール、３ａ…開口部、４…アッパレール、４ａ…引っ掛け形状（係止部）、５…シート、１１…底壁部、１２…側壁部、１３…ロアレール張出壁部、１４…ロアレール折返し壁部、１７…覆設部材、１９ａ…保持部、２１…本体壁部、２２…アッパレール張出壁部、２３…アッパレール折返し壁部、２６…ロックレバー（ロック手段）、３６…カバー部材。
【図１】
0005353047.tif 000002
【図２】
0005353047.tif 000003
【図３】
0005353047.tif 000004
【図４】
0005353047.tif 000005